(57)【要約】【課題】無線インターフェース部の制御下で印刷データのない時には自動的に省エネモードに入り、印刷データが到来した時には自動的に動作モードへ復帰する、オートパワーＯＮ／ＯＦＦ機能付きで且つ消費電力の少ない無線プリンタ装置を提供することを目的とする。【解決手段】無線プリンタ装置の制御部とプリンタ部への電力供給を制御する手段を備え、少なくとも制御部への電力供給を無線部によって制御する構成をとり、印刷ホスト装置とのコネクションが確立した段階、あるいは印刷ホストからの印刷ＪＯＢが開始した段階で制御部とプリンタ部への電力供給を有効にし、印刷ホスト装置とのコネクション消滅した段階、あるいは印刷ホスト装置からの印刷ＪＯＢが終了した段階でプリンタ部と制御部への電力供給を無効にする構成をとる。【選択図】　　　　図１
2004025590.tif 000002
【特許請求の範囲】
【請求項１】
印刷ホスト装置からの無線データを受信し印刷を行なう無線プリンタ装置において、
データの送受信を行なう無線手段と、
前記無線手段に電力を供給する第一の電源手段と、
印刷を行なうプリンタ手段と、
前記プリンタ手段に少なくとも一種類の電力を供給する第二の電源手段とを有し、
前記無線手段は前記第二の電源手段の少なくとも一種類の電力出力を制御することを特徴とする無線プリンタ装置。
【請求項２】
請求項１に記載の無線プリンタ装置で、
前記無線手段は印刷ホスト装置との無線接続成立あるいは無線接続切断に応じて、
前記第二の電源手段を制御することを特徴とする無線プリンタ装置。
【請求項３】
請求項１に記載の無線プリンタ装置で、
前記無線手段は印刷ホスト装置からの印刷開始あるいは印刷終了に応じて、
前記第二の電源手段を制御することを特徴とする無線プリンタ装置。
【請求項４】
印刷ホスト装置からの無線データを受信し印刷を行なう無線プリンタ装置において、
データの送受信を行なう無線手段と、
前記無線手段に電力を供給する第一の電源手段と、
印刷を行なうプリンタ手段と、
前記プリンタ手段を制御する制御手段と、
前記プリンタ手段に少なくとも一種類の電力を供給する第二の電源手段と、
前記制御手段に少なくとも一種類の電力を供給する第三の電源手段とを有し、
前記無線手段は前記第二、第三の電源手段の少なくとも一種類の電力出力を制御することを特徴とする無線プリンタ装置。
【請求項５】
請求項４に記載の無線プリンタ装置で、
前記無線手段は前記印刷ホスト装置との無線接続成立あるいは無線接続切断に応じて、
前記第二、第三の電源手段を制御することを特徴とする無線プリンタ装置。
【請求項６】
請求項４に記載の無線プリンタ装置で、
前記無線手段は印刷ホスト装置からの印刷開始あるいは印刷終了に応じて、
前記第二、第三の電源手段を制御することを特徴とする無線プリンタ装置。
【請求項７】
印刷ホスト装置からの無線データを受信し印刷を行なう無線プリンタ装置において、
データの送受信を行なう無線手段と、
前記無線手段に電力を供給する第一の電源手段と、
印刷を行なうプリンタ手段と、
前記プリンタ手段を制御する制御部と、
前記プリンタ手段に少なくとも一種類の電力を供給する第二の電源手段と、
前記制御手段に少なくとも一種類の電力を供給する第三の電源手段とを有し、
前記制御手段は前記第二の電源手段の少なくとも一種類の電力出力を制御し、
前記無線手段は前記第三の電源手段の少なくとも一種類の電力出力を制御することを特徴とする無線プリンタ装置。
【請求項８】
請求項７に記載の無線プリンタ装置で、
前記制御手段は前記印刷ホスト装置との無線接続あるいは無線接続切断に応じて、
前記第二の電源手段を制御し、
前記無線手段は前記印刷ホスト装置との無線接続成立あるいは無線接続切断に応じて、
前記第三の電源手段を制御することを特徴とする無線プリンタ装置。
【請求項９】
請求項７に記載の無線プリンタ装置で、
前記制御手段は前記印刷ホスト装置からの印刷開始あるいは印刷終了に応じて、前記第二の電源手段を制御し、
前記無線手段は前記印刷ホスト装置からの印刷開始あるいは印刷終了に応じて、前記第三の電源手段を制御することを特徴とする無線プリンタ装置。
【請求項１０】
請求項７に記載の無線プリンタ装置で、
前記無線手段は印刷ホスト装置からの印刷開始あるいは印刷終了に応じて、
前記第二、第三の電源手段を制御することを特徴とする無線プリンタ装置。
【発明の詳細な説明】
【０００１】
【発明の属する技術分野】
本発明は外部装置から無線送信されたデータを印刷する無線プリンタに関し、特に無線データの送受信を行なう無線インターフェース部にて、プリンタ部の電源制御を行なう無線プリンタ装置に関する。
【０００２】
【従来の技術】
［従来例１］
図６は従来のプリンタ装置を説明するためのブロック図である。
【０００３】
図中、６１はプリンタ各部に電源を供給するための電源部、６３は印刷ホスト装置（不図示）からのデータを受信するインターフェース部、６５は実際に印刷を行なうプリンタ部、６２はプリンタ部６５への電源供給を操作する電源操作部、６４は装置全体の制御を司る制御部である。
【０００４】
制御部６４はホスト装置からインターフェース部６３を介して受信したデータをプリンタ部６５を制御して印刷を行なう。また、印刷データ受信によるオートパワーＯＮ機能を実装する場合には、パワーＯＦＦ時に電源操作部６２を制御してプリンタ部６５への電源を遮断し、印刷データ受信時にやはり電源操作部６２を制御してプリンタ部６５への電源供給を行なう。インターフェース部６３にはＵＳＢ／パラレル等の有線接続手段、あるいは電波／光等の無線接続手段が用いられる。
【０００５】
［従来例２］
特開平５−２４６０号公報（無線印刷装置）においては、印字手段と、無線送信される搬送信号の受信レベルを監視する監視手段と、前記印字手段に供給する電源を入切操作する電源操作手段と、前記該監視手段の出力に基づいて前記電源操作手段による前記印字手段への電源供給を制御する制御手段とを具備した無線印刷装置が開示されている。
【０００６】
また、該発明で無線印刷装置の電源を切る場合の条件としては、全てのホストコンピュータの電源が切れた場合受信待ちキューが空で、現在接続しているホストコンピュータから電源遮断命令が発行された場合となっており、さらに無線印刷装置の電源を入れる場合の条件として何れか１台でもホストコンピュータの電源が投入された場合ホストコンピュータのうち、何れか１台でも電源投入命令を発行した場合と開示されている。
【０００７】
【発明が解決しようとする課題】
従来例１ではオートパワーＯＮ機能を実装するために、常にインターフェース部と制御部に電源を入れておく必要があり、電源ＯＦＦ時の消費電力が大きくなるという難点があった。
【０００８】
従来例２では搬送信号の受信レベルを監視する監視手段を用いるため、搬送信号の受信レベルを検知出来ないシステムには適用出来なかった。
【０００９】
本発明は上記の問題に対処するためになされたものであり、無線インターフェース部の制御下で印刷データのない時には自動的に省エネモードに入り、印刷データが到来した時には自動的に動作モードへ復帰する、オートパワーＯＮ／ＯＦＦ機能付きで且つ消費電力の少ない無線プリンタ装置を提供することを目的とする。
【００１０】
【課題を解決するための手段】
本発明は、無線プリンタ装置の制御部とプリンタ部への電力供給を制御する手段を備え、少なくとも制御部への電力供給を無線部によって制御する構成をとり、印刷ホスト装置とのコネクションが確立した段階、あるいは印刷ホストからの印刷ＪＯＢが開始した段階で制御部とプリンタ部への電力供給を有効にし、印刷ホスト装置とのコネクション消滅した段階、あるいは印刷ホスト装置からの印刷ＪＯＢが終了した段階でプリンタ部と制御部への電力供給を無効にする構成とした。
【００１１】
以上の構成で、主要部への電力供給を必要最小限の時間にとどめ、かつオートパワーＯＮ／ＯＦＦ機能を実現した無線プリンタ装置を実現する事が可能となる。
【００１２】
なお、さらに詳細に説明すれば、本発明は下記の構成によって前記課題を解決できた。
【００１３】
（１）印刷ホスト装置からの無線データを受信し印刷を行なう無線プリンタ装置において、
データの送受信を行なう無線手段と、
前記無線手段に電力を供給する第一の電源手段と、
印刷を行なうプリンタ手段と、
前記プリンタ手段に少なくとも一種類の電力を供給する第二の電源手段とを有し、
前記無線手段は前記第二の電源手段の少なくとも一種類の電力出力を制御することを特徴とする無線プリンタ装置。
【００１４】
（２）前記（１）に記載の無線プリンタ装置で、
前記無線手段は印刷ホスト装置との無線接続成立あるいは無線接続切断に応じて、
前記第二の電源手段を制御することを特徴とする無線プリンタ装置。
【００１５】
（３）前記（１）に記載の無線プリンタ装置で、
前記無線手段は印刷ホスト装置からの印刷開始あるいは印刷終了に応じて、
前記第二の電源手段を制御することを特徴とする無線プリンタ装置。
【００１６】
（４）印刷ホスト装置からの無線データを受信し印刷を行なう無線プリンタ装置において、
データの送受信を行なう無線手段と、
前記無線手段に電力を供給する第一の電源手段と、
印刷を行なうプリンタ手段と、
前記プリンタ手段を制御する制御手段と、
前記プリンタ手段に少なくとも一種類の電力を供給する第二の電源手段と、
前記制御手段に少なくとも一種類の電力を供給する第三の電源手段とを有し、
前記無線手段は前記第二、第三の電源手段の少なくとも一種類の電力出力を制御することを特徴とする無線プリンタ装置。
【００１７】
（５）前記（４）に記載の無線プリンタ装置で、
前記無線手段は前記印刷ホスト装置との無線接続成立あるいは無線接続切断に応じて、
前記第二、第三の電源手段を制御することを特徴とする無線プリンタ装置。
【００１８】
（６）前記（４）に記載の無線プリンタ装置で、
前記無線手段は印刷ホスト装置からの印刷開始あるいは印刷終了に応じて、
前記第二、第三の電源手段を制御することを特徴とする無線プリンタ装置。
【００１９】
（７）印刷ホスト装置からの無線データを受信し印刷を行なう無線プリンタ装置において、
データの送受信を行なう無線手段と、
前記無線手段に電力を供給する第一の電源手段と、
印刷を行なうプリンタ手段と、
前記プリンタ手段を制御する制御部と、
前記プリンタ手段に少なくとも一種類の電力を供給する第二の電源手段と、
前記制御手段に少なくとも一種類の電力を供給する第三の電源手段とを有し、
前記制御手段は前記第二の電源手段の少なくとも一種類の電力出力を制御し、
前記無線手段は前記第三の電源手段の少なくとも一種類の電力出力を制御することを特徴とする無線プリンタ装置。
【００２０】
（８）前記（７）に記載の無線プリンタ装置で、
前記制御手段は前記印刷ホスト装置との無線接続あるいは無線接続切断に応じて、
前記第二の電源手段を制御し、
前記無線手段は前記印刷ホスト装置との無線接続成立あるいは無線接続切断に応じて、
前記第三の電源手段を制御することを特徴とする無線プリンタ装置。
【００２１】
（９）前記（７）に記載の無線プリンタ装置で、
前記制御手段は前記印刷ホスト装置からの印刷開始あるいは印刷終了に応じて、前記第二の電源手段を制御し、
前記無線手段は前記印刷ホスト装置からの印刷開始あるいは印刷終了に応じて、前記第三の電源手段を制御することを特徴とする無線プリンタ装置。
【００２２】
（１０）前記（７）に記載の無線プリンタ装置で、
前記無線手段は印刷ホスト装置からの印刷開始あるいは印刷終了に応じて、
前記第二、第三の電源手段を制御することを特徴とする無線プリンタ装置。
【００２３】
【作用】
本発明によれば、簡単な構成で、消費電力が少なく、且つオートパワーＯＮ機能付きの無線プリンタ装置を実現可能となる。
【００２４】
【発明の実施の形態】
［第１の実施例］
以下図面を用い、本発明の実施例を詳細に説明する。
【００２５】
図１は本発明第１の実施例を示す無線プリンタ装置を説明するためのブロック図である。本実施例ではプリンタとしてインクジェット機構を採用した場合を例にあげている。
【００２６】
図において１は無線プリンタ装置であり、各部に電力を供給するための電源部１１、電源部１１の出力をスイッチするための電源操作部１２、不図示の印刷ホスト装置と無線にてデータ送受を行なう無線インターフェース部１３、実際の印刷を行なうインクジェット機構のプリンタ部１５、プリンタ部１５の制御を司る制御部１４で構成されている。電源部１１には商用電源、あるいはバッテリー等が接続され（不図示）、無線インターフェース部１３に供給される遮断することのない第１の出力系統と、電源操作部１２によってスイッチされ制御部１４とプリンタ部１５に供給される第２の出力系統との２系統の出力を備えている。電源操作部１２は無線インターフェース部１３の指示のもと、第２系統の電力を制御部１４とプリンタ部１５とに出力するかしないかのスイッチ動作を行なう。また、印刷ホスト装置からの印刷データは無線インターフェース部１３を経由して制御部１４に渡され、制御部１４はこのデータをもとにプリンタ部１５を制御して実際の印刷動作を行なう。
【００２７】
次に、図２のフローチャートを用いて、以上の構成における本発明第１の実施例の具体的な動作を説明する。図２は無線インターフェース部１３の本実施例に関わる部分のフローである。
【００２８】
まず、ステップＳ１で印刷ホスト装置とのコネクションが確立しているかどうかのチェックを行なう。確立していなければここでループし、確立していればステップＳ２に進んで電源操作部１２のスイッチをＯＮにする。これにより制御部１４とプリンタ１５とに電力が供給され、プリンタ１５は制御部１４の制御下で初期化動作を行なった後印刷可能となる。すなわちオートパワーＯＮ機能である。次のステップＳ３は、このプリンタ初期化の時間をウエイトするステップで所定時間ウエイト後、ステップＳ４に進む。ステップＳ４ではコネクションの確立が維持されているかどうかのチェックを行なう。このチェックは外来ノイズやホスト装置のシステムダウン等で発生する無線通信エラーを検知するためである。ステップＳ４でコネクションの確立が維持されていなければ、ステップＳ８で所定時間ウエイトした後、ステップＳ９で電源操作部１２のスイッチをＯＦＦにし、制御部１４とプリンタ１５への電力供給を遮断する。すなわちオートパワーＯＦＦである。通常インクジェットプリンタの場合、電源遮断時に印刷ヘッドをキャッピングする等の電源遮断処理が必要となる。このステップＳ８はこの電源遮断処理の終了を所定時間待つウエイトであり、制御部１４の制御下でプリンタ部１５の電源遮断処理が終了するよりも十分長い時間に設定する必要がある。ステップＳ４でコネクションの確立が維持されていれば、ステップＳ５に進んで無線によるコマンド／印刷データの受信をチェックする。データを受信していなければステップＳ４に戻ってステップＳ４、Ｓ５のループをする（コネクションが維持されている場合）。ステップＳ５で印刷データを受信したらステップＳ６でそのデータを制御部１４へ渡した後、ステップＳ７へ進んで印刷ＪＯＢの受信が終了したかどうかのチェックを行なう。ＪＯＢが終了していなければステップＳ５へ戻って次のデータの受信チェックを行ない、ＪＯＢ終了であればステップＳ４に戻って、やはりコネクション確立の維持をチェックする。印刷ホスト装置が印刷ＪＯＢを送信終了後、コネクションを切断すればここでステップＳ８に分岐し、所定時間ウエイト後ステップＳ９で制御部１４とプリンタ１５への電力供給を遮断することになる。すなわちオートパワーＯＦＦである。ステップＳ８のウエイトについては“制御部１４の制御下でプリンタ部１５の電源遮断処理が終了するよりも十分長い時間に設定する必要がある”と前述した。しかしこの場合、たとえ印刷ＪＯＢの受信が終了しコネクションが切断されたとしても、制御部１４内のプリントバッファにデータが残りプリンタ部１５の印刷が終了していない可能性もある。よって、ステップＳ８のウエイトは実際には制御部１４内のプリントバッファを印刷する時間と電源遮断処理に要する時間との合計よりも十分長い時間にする必要がある。ステップＳ４で、印刷ホスト装置が次のＪＯＢを送信する場合等、コネクションが維持されていればステップＳ５に分岐し、制御部１４とプリンタ１５への電力供給を遮断することはない。
【００２９】
以上述べたように、無線プリンタ装置の制御部とプリンタ部への電力供給を無線部によって制御する構成をとり、印刷ホスト装置とのコネクションが確立した段階で制御部とプリンタ部への電力供給を有効に、印刷ホスト装置とのコネクションが切断した段階で制御部とプリンタ部への電力供給を無効にすることで、制御部とプリンタ部への電力供給を必要最小限の時間にとどめ、且つオートパワーＯＮ／ＯＦＦ機能を実現した無線プリンタ装置を実現する事が可能となる。
【００３０】
［第２の実施例］
第１の実施例ではコネクション確立で制御部とプリンタ部へ電力を供給し、コネクションの切断で電力を遮断するようにした。しかし、これをデータ受信開始（ＪＯＢ開始）で電力を供給、ＪＯＢ終了で電力を遮断としてもよい。この場合の実施例を図３のフローチャートを用いて説明する。図３は無線インターフェース部１３の本実施例に関わる部分のフローである。ただし、機器構成については第１の実施例と同じである。
【００３１】
まず、ステップＳ１１で無線によるコマンド／印刷データの受信をチェックする。データを受信していなければここでループし、受信していればステップＳ１２に進む。ステップＳ１２では受信したデータが印刷ＪＯＢを開始するデータかどうかのチェックを行なう。開始データでなければステップＳ１５へ進み、開始データであれば、ステップＳ１３で電源操作部１２のスイッチをＯＮ、ステップＳ１４で所定時間ウエイトした後、やはりステップＳ１５へ進む。このステップ１３により、制御部１４とプリンタ１５とに電力が供給され、プリンタ１５は制御部１４の制御下で初期化動作を行なった後印刷可能となる。すなわちオートパワーＯＮ機能である。また、ステップＳ１４はそのプリンタの初期化待ち時間である。ステップＳ１５では、ステップＳ１１にて受信したデータを制御部１４へ渡し、ステップＳ１６に進む。ステップＳ１６では印刷ＪＯＢの受信が終了したかどうかのチェックを行ない、終了でなければステップＳ１１へ戻って次のデータを待ち、終了であればステップ１７で所定時間ウエイトした後ステップ１８で制御部１４とプリンタ１５への電力供給を遮断してやはりステップＳ１１へ戻る。このステップＳ１８の電力供給遮断がオートパワーＯＦＦである。またステップＳ１７でのウエイトは、第１の実施例（図２のステップＳ８）と同じように、制御部１４内のバッファを印刷する時間と電源遮断処理に要する時間との合計よりも十分長い時間にする必要がある。
【００３２】
このように印刷ＪＯＢの開始で、制御部１４とプリンタ１５とに電力が供給開始され（ステップＳ１３）、印刷ＪＯＢの終了で制御部１４とプリンタ１５への電力供給を遮断する（ステップＳ１８）。
【００３３】
以上述べたように、無線プリンタ装置の制御部とプリンタ部への電力供給を無線部によって制御する構成をとり、印刷ホスト装置から印刷ＪＯＢが開始した段階で制御部とプリンタ部への電力供給を有効に、印刷ホスト装置からの印刷ＪＯＢが終了した段階で制御部とプリンタ部への電力供給を無効にすることで、制御部とプリンタ部への電力供給を必要最小限の時間にとどめ、且つオートパワーＯＮ／ＯＦＦ機能を実現した無線プリンタ装置を実現する事が可能となる。
【００３４】
［第３の実施例］
以上の実施例では、制御部とプリンタ部への電力供給を無線部にて制御したが、プリンタ部への電力供給を制御部にて制御し、制御部への電力供給を無線部にて行なう場合の実施例を以下に述べる。
【００３５】
図４は本発明第３の実施例を示す無線プリンタ装置を説明するためのブロック図である。本実施例ではプリンタとしてインクジェット機構を採用した場合を例にあげている。図において３は無線プリンタ装置であり、各部に電力を供給するための電源部３１、電源部３１の出力をスイッチするための電源操作部３２、３３、不図示の印刷ホスト装置と無線にてデータ送受を行なう無線インターフェース部３４、実際の印刷を行なうインクジェット機構のプリンタ部３６、プリンタ部３６の制御を司る制御部３５で構成されている。電源部３６には商用電源、あるいはバッテリー等が接続され（不図示）、無線インターフェース部３４に供給される遮断することのない第１の出力系統と、電源操作部３２によってスイッチされ制御部３５に供給される第２の出力系統と、電源操作部３３によってスイッチされプリンタ部３６に供給される第３の出力系統との２系統の出力を備えている。電源操作部３２は無線インターフェース部３４の指示のもと、第２系統の電力を制御部３５に出力するかしないかのスイッチ動作を行ない、電源操作部３３は制御部３５の指示のもと、第３系統の電力をプリンタ部３６出力するかしないかのスイッチ動作を行なう。また、印刷ホスト装置からの印刷データは無線インターフェース部３４を経由して制御部３５に渡され、制御部３５はこのデータをもとにプリンタ部３６を制御して実際の印刷動作を行なう。
【００３６】
次に、以上の構成における本発明第３の実施例の具体的な動作を説明する。しかし動作フローは第１の実施例とほぼ同じになるので、図２を用いて第１の実施例と異なる点のみ述べる事にする。
【００３７】
第１の実施例ではステップＳ２で電源操作部１２のスイッチをＯＮにし、制御部１４とプリンタ部１５とに電力を供給した。しかし、本実施例では電源操作部３２のスイッチをＯＮにして、制御部３５のみに電力を供給をする。電力を供給されて動作を開始した制御部３２は、電源操作部３３のスイッチをＯＮにして、プリンタ部３６に電力を供給する。プリンタ部３６は制御部３５の制御下で初期化動作を行なった後印刷可能となる。この動作がステップ１の印刷ホスト装置とのコネクション確立後に行なわれるオートパワーＯＮである。
【００３８】
また第１の実施例では、ステップＳ８にて所定時間ウエイト後、ステップＳ９で電源操作部１２のスイッチをＯＦＦにし、制御部１４とプリンタ１５への電力供給を遮断した。しかし本実施例では、ステップＳ８でのウエイトは不要となり、ステップＳ９部分が、制御部３５にＯＦＦ要求コマンド送信、ＯＦＦコマンド待ち、制御部３５からのＯＦＦコマンド受信、電源操作部３２のスイッチをＯＦＦという４ステップになる。ステップＳ９部分の詳細と、制御部３５の動作を図５のフローチャートを用いて説明する。無線インターフェース部３４はステップＳ９１で制御部３５に対してＯＦＦ要求コマンドを送信し、ステップＳ９２で制御部からのコマンド待ちループに入る。制御部３５はステップＳ３１で無線インターフェース部３４からＯＦＦ要求コマンドを受信すると、ステップＳ３２でプリントバッファにデータが残っている場合にはプリンタ部３６を制御してその印刷を行なう。続いてステップＳ３３でプリンタ部３６の印刷ヘッドをキャッピングする等の電源遮断処理を行ない、ステップＳ３４で電源操作部３３のスイッチをＯＦＦしてプリンタ部３６への電力供給を遮断し、ステップＳ３５でＯＦＦコマンドを無線インターフェース部３４へ送信する。無線インターフェース部３４は、ステップＳ９３で制御部３５からのＯＦＦコマンドを受信すると、ステップＳ９４で電源操作部３２のスイッチをＯＦＦして制御部３５への電力供給を遮断する。この動作がステップＳ４での印刷ホスト装置とのコネクション消滅後に行なわれるオートパワーＯＦＦである。
【００３９】
このように印刷ホストとのコネクション確立後（ステップＳ１）に、制御部３５とプリンタ部３６への電力供給を行ない（ステップＳ２）、印刷ホストとのコネクション消滅後（ステップＳ４）にプリンタ部３６と制御部３５へ電力供給を遮断する（ステップＳ９）事になる。
【００４０】
以上述べたように、無線プリンタ装置の制御部への電力供給を無線部によって制御し、プリンタ部への電力供給を制御部によって制御する構成をとり、印刷ホスト装置とのコネクションが確立した段階で制御部とプリンタ部への電力供給を有効に、印刷ホスト装置とのコネクションが切断した段階でプリンタ部と制御部への電力供給を無効にすることで、制御部とプリンタ部への電力供給を必要最小限の時間にとどめ、且つオートパワーＯＮ／ＯＦＦ機能を実現した無線プリンタ装置を実現する事が可能となる。
【００４１】
［第４の実施例］
第３の実施例ではコネクション確立で制御部とプリンタ部へ電力を供給し、コネクションの切断で電力を遮断するようにした。しかし、第２の実施例と同じように、データ受信開始（ＪＯＢ開始）で電力を供給、ＪＯＢ終了で電力を遮断としてもよい。
【００４２】
この場合の機器構成は、第３の実施例と同じで図４の構成となる。動作フローは第２の実施例とほぼ同じになるので、図３を用いて第２の実施例と異なる点のみ述べる事にする。
【００４３】
第２の実施例ではステップＳ１３で電源操作部１２のスイッチをＯＮにし、制御部１４とプリンタ部１５とに電力を供給した。しかし、本実施例では電源操作部３２のスイッチをＯＮにして、制御部３５のみに電力を供給をする。電力を供給されて動作を開始した制御部３２は、電源操作部３３のスイッチをＯＮにして、プリンタ部３６に電力を供給する。プリンタ部３６は制御部３５の制御下で初期化動作を行なった後印刷可能となる。この動作がステップ１２の印刷ＪＯＢ開始後に行なわれるオートパワーＯＮである。
【００４４】
また第２の実施例では、ステップＳ１７にて所定時間ウエイト後、ステップＳ１８で電源操作部１２のスイッチをＯＦＦにし、制御部１４とプリンタ１５への電力供給を遮断した。しかし本実施例では、ステップＳ１７でのウエイトは不要となり、ステップＳ１８の部分が、制御部３５にＯＦＦ要求コマンド送信、ＯＦＦコマンド待ち、制御部３５からのＯＦＦコマンド受信、電源操作部３２のスイッチをＯＦＦという４ステップになる。この部分は第３の実施例の図５と同じになるので説明は省略するが、ステップＳ１６の印刷ＪＯＢ終了後に、オートパワーＯＦＦ行うことが出来る。
【００４５】
このように印刷ＪＯＢの開始（ステップＳ１２）で、制御部１４とプリンタ１５とに電力が供給開始され（ステップＳ１３）、印刷ＪＯＢの終了（ステップＳ１６）で制御部１４とプリンタ１５への電力供給を遮断（ステップＳ１８）出来る。
【００４６】
以上述べたように、無線プリンタ装置の制御部への電力供給を無線部によって制御し、プリンタ部への電力供給を制御部によって制御する構成をとり、印刷ホスト装置からの印刷ＪＯＢが開始した段階で制御部とプリンタ部への電力供給を有効に、印刷ホスト装置からの印刷ＪＯＢが終了した段階でプリンタ部と制御部への電力供給を無効にすることで、制御部とプリンタ部への電力供給を必要最小限の時間にとどめ、且つオートパワーＯＮ／ＯＦＦ機能を実現した無線プリンタ装置を実現する事が可能となる。
【００４７】
［他の実施例］
以上の実施例では制御部、プリンタ部ともに１系統の電力を供給する場合を例に説明した。しかしそれぞれ複数の電力系統を使用する場合も同様に制御可能である。
【００４８】
また複数の電力系統を使用する場合に、スイッチする電力系統とスイッチしない電力系統に分かれる場合も考えられる。例えば、制御部のＣＰＵ等はスイッチ制御下に置くが、ＲＡＭ等はスイッチせず電源を遮断しない。あるいはプリンタ部のモータ、印刷ヘッド等はスイッチ制御下に置くが、センサ、スイッチ等はスイッチせず電源を遮断しない、等の例が考えられる。
【００４９】
さらに、実施例中では無線とのみ記述したが、本発明がＢＬＵＥＴＯＯＴＨやＩＥＥＥ８０２．１１等の無線機器に適用できるのはもちろんである。
【００５０】
【発明の効果】
以上述べたように、無線プリンタ装置の制御部とプリンタ部への電力供給を制御可能とし、少なくとも制御部への電力供給を無線部によって制御する構成をとり、印刷ホスト装置とのコネクションが確立した段階、あるいは印刷ホストからの印刷ＪＯＢが開始した段階で制御部とプリンタ部への電力供給を有効にし、印刷ホスト装置とのコネクションが消滅した段階、あるいは印刷ホスト装置からの印刷ＪＯＢが終了した段階でプリンタ部と制御部への電力供給を無効にすることで、制御部とプリンタ部への電力供給を必要最小限の時間にとどめ、かつオートパワーＯＮ／ＯＦＦ機能を実現した無線プリンタ装置を実現する事が可能となる。
【図面の簡単な説明】
【図１】本発明第１の実施例の無線プリンタ装置示す図
【図２】本発明第１の実施例の動作を説明する図
【図３】本発明第２の実施例の動作を説明する図
【図４】本発明第３の実施例の無線プリンタ装置示す図
【図５】本発明第３の実施例の動作を説明する図
【図６】従来例の動作を説明する図
【符号の説明】
１　無線プリンタ装置
３　無線プリンタ装置
１１　電源部
１２　電源操作部
１３　無線インターフェース部
１４　制御部
１５　プリンタ部
３１　電源部
３２　電源操作部
３３　電源操作部
３４　無線インターフェース部
３５　制御部
３６　プリンタ部
【図１】
2004025590.tif 000003
【図２】
2004025590.tif 000004
【図３】
2004025590.tif 000005
【図４】
2004025590.tif 000006
【図５】
2004025590.tif 000007
【図６】
2004025590.tif 000008